(57)【要約】【課題】一台で異なる温度に検体を加温でき、顕微鏡も一台で対応することが可能で、検体を別の顕微鏡に搭載された顕微鏡観察用加温装置に移す必要がなくて観察作業を効率よく行うことができる顕微鏡観察用加温装置の提供。【解決手段】架台３は、顕微鏡のステージＳの上側に天板５を被せて設置可能であり、この天板５には顕微鏡観察用の穴（透光部）９が形成されている。スライドベース２９には、互いに独立して温度制御可能な２つの透明加温板３９Ｒ、３９Ｌが設けられており、天板５の上面７に対して摺動可能になっている。従って、別の温度に設定しておき、スライドベース２９を摺動させ、穴９に対向する透明加温板３９Ｒ、３９Ｌを変更することで、ディッシュＤに収容した精子（検体）を異なる温度で加温しながら顕微鏡観察できる。【選択図】  図１
2020079828.tif 000002
【特許請求の範囲】
【請求項１】
顕微鏡のステージの上側に天板を被せて設置可能な架台と、前記天板に形成された顕微鏡観察用の透光部と、前記天板の上面に対して摺動可能に構成されたスライドベースと、前記スライドベースに設けられた複数の透明加温板と、前記複数の透明加温板をそれぞれ独立して温度制御可能な温度制御手段とを備え、
前記架台の天板上で前記スライドベースを摺動させることで、前記複数の透明加温板を択一的に前記透光部に対向させることができるよう構成したことを特徴とする顕微鏡観察用加温装置。
【請求項２】
請求項１に記載した顕微鏡観察用加温装置において、
架台の天板にはスライドベースの摺動方向をガイドするガイド手段が設けられていることを特徴とする顕微鏡観察用加温装置。
【請求項３】
請求項１または２に記載した顕微鏡観察用加温装置において、
架台の天板にはスライドベースの脱落を規制する脱落規制手段が設けられていることを特徴とする顕微鏡観察用加温装置。
【請求項４】
請求項２または３に記載した顕微鏡観察用加温装置において、
手段は天板から上方に突出した段差で構成されていることを特徴とする顕微鏡観察用加温装置。
【請求項５】
請求項１から４のいずれかに記載した顕微鏡観察用加温装置において、
架台にはスライドベースに載せた容器に対する作業を行う際に肘を載せる肘載せ部が設けられていることを特徴とする顕微鏡観察用加温装置。
【請求項６】
請求項１から５のいずれかに記載した顕微鏡観察用加温装置において、
スライドベースの上面も、容器が摺動可能に載せられるよう構成されていることを特徴とする顕微鏡観察用加温装置。
【発明の詳細な説明】
【技術分野】
【０００１】
本発明は顕微鏡によって観察する検体を透明加温板に載せて加温する顕微鏡観察用加温装置に関するものである。
【背景技術】
【０００２】
動物の人工授精等のように、精子や卵子（検体）を所定温度に保ち、それを顕微鏡で観察しなくてはならない場合がある。この要求を満たすための装置として、顕微鏡観察用加温装置がある。
この顕微鏡観察用加温装置の出願には特許文献１等があり、この種の装置は検体を加温する透明加温板を具備している。透明加温板は発熱用透明板、この発熱用透明板の表面に蒸着法等によって形成された透明導電膜、この透明導電膜に通電するための電極、さらに発熱用透明板に所定距離離間して積層される保護用透明板等から構成されて積層構造になっている。また、発熱用透明板と保護用透明板との間に配置される温度センサが備えられ、積層構造の透明加温板の外縁部はハウジングによって保持されている。
【０００３】
そして、ディッシュに収容する等した検体を透明加温板上に置き、透明導電膜に通電することによって発熱させ、これにより検体を加温する。さらに、温度センサによって温度を検知し、この検知温度に基づいて透明導電膜への通電を調節して温度調節を行う。なお、この種の装置は、顕微鏡の種類（倒立顕微鏡、正立顕微鏡、実体顕微鏡）や顕微鏡のステージの構造（形状）によって、色々なタイプのものがある。
【先行技術文献】
【特許文献】
【０００４】
【特許文献１】特許第３５２２７４７号公報
【発明の概要】
【発明が解決しようとする課題】
【０００５】
人工授精等においては一つの検体を工程に応じて異なる温度で加温する必要が生じることがある。しかしながら、上記従来の顕微鏡観察用加温装置は透明加温板が一つであるため、検体を異なる温度で加温するためには顕微鏡観察用加温装置を複数台準備しなくてはならず、しかも一つの透明加温板しか顕微鏡に設置できなかったため、複数の顕微鏡観察用加温装置に対応して複数の顕微鏡も必要となる。更に、検体を別の顕微鏡に搭載された顕微鏡観察用加温装置に移さなければならず、効率の悪い作業を行わざるを得ないという問題がある。
【０００６】
本発明は上記従来の問題点に着目して為されたものであり、一台で異なる温度に検体を加温でき、検体を別の顕微鏡に搭載された顕微鏡観察用加温装置に移す必要がなくて作業を効率よく行うことができる顕微鏡観察用加温装置の提供を、その目的とする。
【課題を解決するための手段】
【０００７】
本発明は上記課題を解決するためになされたものであり、請求項１の発明は、顕微鏡のステージの上側に天板を被せて設置可能な架台と、前記天板に形成された顕微鏡観察用の透光部と、前記天板の上面に対して摺動可能に構成されたスライドベースと、前記スライドベースに設けられた複数の透明加温板と、前記複数の透明加温板をそれぞれ独立して温度制御可能な温度制御手段とを備え、前記架台の天板上で前記スライドベースを摺動させることで、前記複数の透明加温板を択一的に前記透光部に対向させることができるよう構成したことを特徴とする顕微鏡観察用加温装置である。
【０００８】
請求項２の発明は、請求項１に記載した顕微鏡観察用加温装置において、架台の天板にはスライドベースの摺動方向をガイドするガイド手段が設けられていることを特徴とする顕微鏡観察用加温装置である。
【０００９】
請求項３の発明は、請求項１または２に記載した顕微鏡観察用加温装置において、架台の天板にはスライドベースの脱落を規制する脱落規制手段が設けられていることを特徴とする顕微鏡観察用加温装置である。
【００１０】
請求項４の発明は、請求項２または３に記載した顕微鏡観察用加温装置において、手段は天板から上方に突出した段差で構成されていることを特徴とする顕微鏡観察用加温装置である。
【００１１】
請求項５の発明は、請求項１から４のいずれかに記載した顕微鏡観察用加温装置において、架台にはスライドベースに載せた容器に対する作業を行う際に肘を載せる肘載せ部が設けられていることを特徴とする顕微鏡観察用加温装置である。
【００１２】
請求項６の発明は、請求項１から５のいずれかに記載した顕微鏡観察用加温装置において、スライドベースの上面も、容器が摺動可能に載せられるよう構成されていることを特徴とする顕微鏡観察用加温装置である。
【発明の効果】
【００１３】
本発明の顕微鏡観察用加温装置では、一台で異なる温度に検体を加温でき、検体を別の顕微鏡に搭載された顕微鏡観察用加温装置に移す必要がなくて作業を効率よく行うことができる。
【図面の簡単な説明】
【００１４】
【図１】本発明の実施の形態に係る顕微鏡観察用加温装置を実体顕微鏡にセットした状態の斜視図である。
【図２】図１の顕微鏡観察用加温装置の架台からスライドベースを外した状態の斜視図である。
【図３】図１の顕微鏡観察用加温装置の一方の透明加温板に検体を収容したディッシュを載置して架台の穴に対向させた状態の斜視図である。
【図４】図３に対応する平面図である。
【図５】図１の顕微鏡観察用加温装置の他方の透明加温板に検体を収容したディッシュを載置して架台の穴に対向させた状態の斜視図である。
【図６】図５に対応する平面図である。
【発明を実施するための形態】
【００１５】
本発明の実施の形態に係る顕微鏡観察用加温装置１を図面にしたがって説明する。
図１、図２で符号３は架台を示し、この架台３の天板５は左右方向に長い略長方形の板状を為している。この天板５の上面７はフッ素樹脂等の摩擦係数の小さい材料でコーティングされており、上に載せたものがスムーズに摺動可能になっている。天板５の中央部分には透光部としての円形の穴９が形成されて、上下方向に貫通している。
天板５の上面７の左右方向に延びた長辺縁部に沿ってそれぞれガイド手段としてのスライドガイド１１、１５が設けられている。スライドガイド１１、１５は、それぞれ、帯状片のようになっており、天板５の上面７よりその厚さ分だけ上方へ僅かに突出して段差を形成している。
【００１６】
スライドガイド１１の左右の端部は前方に延出してストッパ１３、１３になっている。一方、スライドガイド１５の左右の端部は後方に延出してストッパ１７、１７になっている。
左端部では一方のストッパ１３とストッパ１７が互いに対向して近づく方向に突出し、右端部では他方のストッパ１３とストッパ１７が互いに対向して近づく方向に突出して段差を形成しており、そこでは、天板５の上面７の前後方向の寸法が狭められた状態になっている。
一対のストッパ１３、１７によって脱落規制手段が構成されている。
【００１７】
天板５の前側には、張り出し部１９が一体に連設されている。この張り出し部１９は天板５がストッパ１７を越えて前方に膨出したように張り出している。上方から見て、張り出し部１９の前側の縁部は曲線状になっている。左右でそれぞれ山状に膨出しており、膨出部２１、２１になっている。膨出部２１には開口部２３が設けられて、上下方向に貫通している。
開口部２３は、後側は張り出し部１９の基端に沿ってほぼ直線状になっているが、前側がひょうたん形になって中心が凹んでおり、膨出部２１は張り出し部１９の山状頂部側の縁部とこのひょうたん形の凹部との間では円状に残されており、この円状部分の上面は肘載せ部２５として利用される。この肘載せ部２５は左右に一対形成されている。
【００１８】
天板５の後側の左右方向の角隅部と、一対の膨出部２１、２１の下面には、脚部２７がそれぞれ設けられており、天板５と張り出し部１９が、合計４本の脚部２７、２７、……によって一定の高さに持ち上げ支持されており、天板５の上面７が水平姿勢で維持される。
【００１９】
天板５の上面７には、スライドベース２９が装着される。
このスライドベース２９は、左右方向へ長い長方形のプレート状を為している。一方の板面が天板５の上面７に載るように、前後方向に延びる短辺寸法がスライドガイド１１、１５の間の幅寸法よりも僅かに小さく設定されている。また、左右方向に延びる長辺寸法は、天板５の上面７の左右方向の長さ寸法の約半分に設定されている。
従って、スライドベース２９はスライドガイド１１、１５の間で僅かな隙間をあけて嵌った状態で上面７に載るようになっており、スライドガイド１１、１５によってガイドされながら、上面７上を左右方向に摺動可能になっている。但し、ストッパ１３、１７に当たると、それ以上の左右方向の移動は阻止されるので、摺動のし過ぎによってスライドベース２９が上面７から落下することはない。
【００２０】
スライドベース２９は、枠部３１によって骨組が構成されている。枠部３１は長方形の縁だけでなく、左右方向の中心線に沿っても延びており、左右方向に２つの四角形の開口部３５、３５が形成されている。開口部３５に面した枠部３１の縁には、対向して円弧状の位置決め用凹部３３、３３が設けられている。
開口部３５は前後方向にやや長い長方形をしており、その縁部に沿って枠部３１側に浅い段差３７が形成されている。
この段差３７を利用して透明加温板３９が保持されている。
【００２１】
透明加温板３９は、複層構造になっており、下側ガラスの上面に透明ヒータとしての透明導電膜が蒸着等により形成されており、この透明導電膜が形成された面に上側ガラスが重ねられて固定されて一体化されている。透明導電膜には通電して発熱させるために電極（図示省略）が接続されている。また、温度センサ４１が取付けられている。
透明加温板３９は段差３７に上方から載せられた状態で枠部３１に嵌め込まれて固定されており、その上面は枠部３１の上面とほぼ面一になっている。透明加温板３９によって開口部３５が閉鎖されている。
【００２２】
電極に繋がれた通電用のリード線と温度センサ４１用のセンサ線は共に枠部３１の内部を通って外に引き出されており、纏められてコード４３になっている。２つの透明加温板３９、３９が、２つの開口部３５、３５にそれぞれ装着されており、それぞれのコード４３、４３は、枠部３１の左側に並んだ状態で配置されている。コード４３、４３は、図示しないコントローラに接続されており、温度センサ４１により監視しながらコントローラの制御のもと透明導電膜への通電量が制御され、所望の温度に維持されるようになっている。
右側の透明加温板３９Ｒと左側の透明加温板３９Ｌは、それぞれ、互いに独立して制御されており、右側の透明加温板３９Ｒと左側の透明加温板３９Ｌを異なる温度で加温することも、また、一方の加温を停止することも可能となっている。
【００２３】
次に顕微鏡観察用加温装置１の使用方法を説明する。
顕微鏡観察用加温装置１の架台３を、天板５が実体顕微鏡ＧのステージＳの上側に被さるように設置する。その際に、穴９が対物レンズＴに対向するようにして位置を調整する。前述のように架台３は張り出し部１９と共に脚部２７、２７、……によって持ち上げ支持されているので、ステージＳの上側に天板５を被せることができる。
次いで、スライドベース２９を架台３の天板５の上面７に載せる。そして、図示しないコントローラを操作して、例えば透明加温板３９Ｒはその設定温度が３０℃になるようにセットし、透明加温板３９Ｌはその設定温度が３７℃になるようにセットする。
【００２４】
そして、養液Ｙと共に検体としての精子Ｈを収容したディッシュ（容器）Ｄを蓋Ｃで閉じた状態で３０℃に設定された透明加温板３９Ｒに載置する。一対の位置決め用凹部３３、３３の凹縁部の輪郭は、ディッシュＤの外径に対応しているので、この輪郭を利用して、透明加温板３９Ｒ上の所定の位置にディッシュＤを載置することができる。
次に、スライドベース２９を摺動させ、ディッシュＤを穴９に対向させて精子Ｈを顕微鏡観察する。スライドベース２９はスライドガイド１１、１５によって摺動方向にガイドされながら摺動するので、ディッシュＤを穴９に対向する位置へ迅速かつ確実に移動させることができる。
図３、図４が、精子Ｈを収容したディッシュＤが、顕微鏡観察可能に３０℃に設定された透明加温板３９Ｒに載置された状態を示している。但し、図４では蓋Ｃは図示されていない。
【００２５】
次いで、ディッシュＤを３７℃に設定された透明加温板３９Ｌに載置する。スライドベース２９の上面はほぼ面一になっており、ディッシュＤを摺動し、上記と同様に一対の位置決め用凹部３３、３３を利用することで、透明加温板３９Ｌ上の所定の位置にディッシュＤを載置することができる。
そして、スライドベース２９を上記と同様に摺動させ、ディッシュＤを穴９に対向させる。
図５、図６が、精子Ｈを収容したディッシュＤが、顕微鏡観察可能に３７℃に設定された透明加温板３９Ｌに載置された状態を示している。但し、図６で蓋Ｃは図示されていない。
【００２６】
このように、ディッシュＤを透明加温板３９Ｒから設定温度の異なる透明加温板３９Ｌへ簡単な操作で移すことができるので、一台で異なる温度に精子Ｈを加温でき顕微鏡も一台で対応できて、精子Ｈを収容したディッシュＤを別の顕微鏡に搭載された顕微鏡観察用加温装置に移す必要がなくて効率のよい作業を行うことが可能となる。
また、透明加温板３９Ｒ、３９Ｌは、いずれも必ずしもその中心を穴９に合わせる必要がないため、スライドベース２９の移動量を調整することで、所望の温度で加温しながら、ディッシュＤ内の様々な位置を観察することができる。
【００２７】
上記作業においてスライドベース２９を摺動させたときに、右端に近づくと、ストッパ１３、１７に接触してそれ以降の移動ができなくなるので、スライドベース２９が天板５から脱落することはない。
また、ディッシュＤを載置する際の位置決めや、養液Ｙの補充等の操作を、肘載せ部２５に両方の肘を載せて行うことができる。肘を天板５と同じ高さに載せた状態で、手首を動かすことができるので、繊細な作業が行い易く、疲労も軽減できることになる。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、２つの透明加温板を備えた顕微鏡観察用加温装置を示したが、本発明はこれに限らず３つ以上の透明加温板を備える構成としてもよい。
また、本発明の顕微鏡観察用加温装置は上記した実体顕微鏡を用いた観察に使用される場合に限定されず、倒立顕微鏡、正立顕微鏡等、他のタイプの顕微鏡を用いた観察に使用してもよいのは勿論である。
【符号の説明】
【００２９】
１…顕微鏡観察用加温装置        ３…架台          ５…天板          ７…上面
９…穴          １１、１５…スライドガイド      １３、１７…ストッパ
１９…張り出し部  ２１…膨出部  ２３…開口部      ２５…肘載せ部    ２７…脚部
２９…スライドベース            ３１…枠部        ３３…位置決め用凹部
３５…開口部      ３７…段差    ３９…透明加温板  ４１…温度センサ  ４３…コード
Ｇ…実体顕微鏡    Ｓ…ステージ  Ｙ…養液          Ｈ…精子
Ｄ…ディッシュ    Ｃ…蓋
【図１】
2020079828.tif 000003
【図２】
2020079828.tif 000004
【図３】
2020079828.tif 000005
【図４】
2020079828.tif 000006
【図５】
2020079828.tif 000007
【図６】
2020079828.tif 000008